(57)【要約】【課題】シュリンクフィルム付き台紙の後倒姿勢が簡単な構成で得られるようにして、被包装物に対するアイキャッチ効果が良好な台紙を提供する。【解決手段】前面板４と後面板６とを重ね合わせて貼り合わされている台紙本体２と、台紙本体２の前面側に取り付けられていて熱収縮により被包装物を保持するシュリンクフィルム筒体３とを備え、前面板４の正面に、シュリンクフィルム筒体３の長さ方向に沿う帯状の貼着手段７が位置し、シュリンクフィルム筒体３が貼着手段７を介して貼り付けられていて、後面板６は、後面板６の一部分を台紙本体２の後方に向けて後面板６に設けた折り部９から折り起こしてなる板材であって台紙本体２を後方に傾斜した後倒姿勢の台紙本体２を支持する支持脚８を有する。【選択図】図１
2017171324.tif 000002
【特許請求の範囲】
【請求項１】
前面板と後面板とを重ね合わせて貼り合わされている台紙本体と、前記台紙本体の前面側に取り付けられていて、熱収縮により被包装物を保持するシュリンクフィルム筒体とを備えたシュリンクフィルム付き台紙であり、
前記前面板の正面に、前記シュリンクフィルム筒体の長さ方向に沿う帯状の貼着手段が位置して、該シュリンクフィルム筒体が前記貼着手段を介して貼り付けられており、
前記後面板は、該後面板の一部分を台紙本体の後方に向けてこの後面板に設けた折り部から折り起こしてなる板材であって後方に傾斜した後倒姿勢の台紙本体を支持する支持脚を有していることを特徴とするシュリンクフィルム付き台紙。
【請求項２】
台紙本体の上下方向に沿って上記貼着手段が位置して上記シュリンクフィルム筒体が台紙本体の上下方向に沿って配置されており、上記折り部は、前記貼着手段の長手方向に平行とされている請求項１に記載のシュリンクフィルム付き台紙。
【請求項３】
上記後面板には、台紙本体の縦方向の中心線を間にして上記支持脚が対称にして配置されている請求項１または２に記載のシュリンクフィルム付き台紙。
【請求項４】
上記折り部は、後面板における上記貼着手段に対応する部分に斜めに交差していて、上記支持脚の長手方向が、前記貼着手段の位置に対して斜めの配置とされている請求項１に記載のシュリンクフィルム付き台紙。
【発明の詳細な説明】
【技術分野】
【０００１】
本発明は、熱収縮することで被包装物を包み込むシュリンクフィルム筒体が取り付けられている台紙に関するものである。
【背景技術】
【０００２】
従来、小物の商品を展示販売する際に用いる台紙において、熱を加えることで熱収縮して被包装物を包み込んで保持するシュリンクフィルム筒体とこのシュリンクフィルム筒体が取り付けられた台紙本体とを備えるシュリンクフィルム付き台紙が多く利用されている。
【０００３】
そして特許文献１においては、シュリンクフィルム筒体に被包装物を包み込ませる熱収縮をするときに台紙の下部における一部を脚として前方に引き出されるようにして自立可能となる形態が得られる提案が示されている。
【０００４】
さらに特許文献２においては、台紙の左右側辺を台紙後方に向けて折り倒すことでその台紙の下辺中央部が台紙前方に自動的に折り出されるようにした構成を有していて、台紙後方への折り出しと台紙の下辺中央部が台紙前方に折り出された状態となることで自立できる点が示されている。
【先行技術文献】
【特許文献】
【０００５】
【特許文献１】特開２０１２−０２５４８３号公報
【特許文献２】特開２０１５−１６８４４６号公報
【発明の概要】
【発明が解決しようとする課題】
【０００６】
しかしながら特許文献１に示された技術においては、脚部分の前方への引き出しがシュリンクフィルム筒体の熱収縮に伴なうものであるため、脚が確実に前方に引き出されるものとはなり難く、展示状態が安定しない台紙が形成されるという不具合がある。
【０００７】
また特許文献２に示された技術においては、具体的には台紙に折り罫や切り込みを入れるものとなるが、台紙の下辺中央部が折り出されるようにするための折り罫の配置が複雑なものとなってしまい、やはりこの場合も台紙前方への折り出しが不確実なものとなり易いという不具合がある。
【０００８】
そこで本発明は上記事情に鑑み、シュリンクフィルム筒体を取り付けた台紙において安定した展示状態が得られるようにすることを課題とし、簡単な構成で自立して、被包装物に対するアイキャッチ効果が良好な台紙を提供することを目的とするものである。
【課題を解決するための手段】
【０００９】
（請求項１の発明）
本発明は上記課題を考慮してなされたもので、前面板と後面板とを重ね合わせて貼り合わされている台紙本体と、前記台紙本体の前面側に取り付けられていて、熱収縮により被包装物を保持するシュリンクフィルム筒体とを備えたシュリンクフィルム付き台紙であり、
前記前面板の正面に、前記シュリンクフィルム筒体の長さ方向に沿う帯状の貼着手段が位置して、該シュリンクフィルム筒体が前記貼着手段を介して貼り付けられており、
前記後面板は、該後面板の一部分を台紙本体の後方に向けてこの後面板に設けた折り部から折り起こしてなる板材であって後方に傾斜した後倒姿勢の台紙本体を支持する支持脚を有していることを特徴とするシュリンクフィルム付き台紙を提供して、上記課題を解消するものである。
【００１０】
（請求項２の発明）
また、本発明は、台紙本体の上下方向に沿って上記貼着手段が位置して上記シュリンクフィルム筒体が台紙本体の上下方向に沿って配置されており、上記折り部は、前記貼着手段の長手方向に平行とされていることが良好である。
【００１１】
（請求項３の発明）
また、本発明は、上記後面板には、台紙本体の縦方向の中心線を間にして上記支持脚が対称にして配置されていることが良好である。
【００１２】
（請求項４の発明）
また、本発明は、上記折り部は、後面板における上記貼着手段に対応する部分に斜めに交差していて、上記支持脚の長手方向が、前記貼着手段の位置に対して斜めの配置とされていることが良好である。
【発明の効果】
【００１３】
（請求項１の発明の効果）
本発明によれば、被包装物を包み込むシュリンクフィルム筒体が取り付けられている前面板ではなく後面板に支持脚を設けているので、シュリンクフィルム付き台紙を後倒姿勢で立てるようにするための構造が頗る簡単であり、後倒姿勢で置くことで商品に対するアイキャッチ効果を高めることが容易になる。
【００１４】
（請求項２の発明の効果）
また、支持脚を到着手段の長手方向に沿って折り起こしたものとすることで、被包装物の重量を確実に支持して、シュリンクフィルム付き台紙が後倒状態でも安定した立ち置きができる。
【００１５】
（請求項３の発明の効果）
また、支持脚を対とすることで、同じく被包装物の重量を確実に支持して、シュリンクフィルム付き台紙が後倒姿勢でも安定した立ち置きができる。
【００１６】
（請求項４の発明の効果）
また、支持脚が貼着手段の位置に対して斜めの配置とすることで、シュリンクフィルム筒体の熱収縮に伴なった台紙の撓み変形を抑えることができる。
【図面の簡単な説明】
【００１７】
【図１】本発明に係る実施の例における台紙本体を展開した状態で示す説明図である。
【図２】台紙本体が後倒姿勢となっている実施の例を背面側の斜め上方から見た状態で示す説明図である。
【図３】他の例を支持脚が折り起こし前の状態とされた後面板側から見た状態で示す説明図である。
【発明を実施するための形態】
【００１８】
つぎに本発明を図１から図３に示す実施の例に基づいて詳細に説明する。図中１は本発明に係るシュリンクフィルム付き台紙で、該シュリンクフィルム付き台紙１は一枚の紙板材を折り合わせて貼り合わせてなる台紙本体２と、熱を加えることで熱収縮して内部に収容した被包装物を包み込んで保持することができるようにしたシュリンクフィルム筒体３とを備えているものである。
【００１９】
（台紙本体）
上記台紙本体２は、図１に示すように前面板４とこの前面板４の側辺に連結部５を介して連接された後面板６とからなり、連結部５から折り合わせて貼り合わせてなるものである。
【００２０】
（シュリンクフィルム筒体）
前面板４の正面にシュリンクフィルム筒体３が台紙本体２の上下方向に筒体３の長手方向を揃えて取り付けられており、前面板４の台紙本体２の上下方向に亘る中心線上にして接着剤を帯状に塗布した接着手段７を設け、この接着手段７を介してシュリンクフィルム筒体３が貼着されている。そしてシュリンクフィルム筒体３の内部に収容されて熱収縮により包み込まれて保持された被包装物が、前面板４の正面での中心線上に位置するように配置される。
【００２１】
なお、被包装物については説明を容易にするために不図示としていて、その被包装物を保持したシュリンクフィルム筒体３が略円柱形状となっている状態を図示している。
【００２２】
本実施の例にあっては台紙本体２が後ろに傾斜する後倒姿勢で立ち、上記シュリンクフィルム筒体３で保持される被包装物に対するアイキャッチ効果を高めている。そして台紙本体２が後倒姿勢で立って維持できるようにするために上記後面板６に一対の支持脚８が設けられている。
【００２３】
（支持脚）
上記支持脚８それぞれは、後面板６の一部分を台紙本体２の後方に向けてこの後面板６に設けた折り部９から折り起こしてなる板材からなるものである。そして対の支持脚８は、展開状態の台紙本体２を表している図１に示されているように、その台紙本体２の縦方向の中心線を間にして対称にして配置されているとともに、支持脚８の折り部９が上記貼着手段７の長手方向に平行としていて、折り起こしされている支持脚８が互いに平行の配置とされている。
【００２４】
そして上記支持脚８の下端それぞれは、台紙本体２を後方に傾斜した後倒状態で支持できるようにするために斜めに切り欠かれていて、傾斜した下端縁が接地することで台紙本体２が後倒姿勢で立つ。なお、前面板４と支持脚８以外の後面板６とは全面的に貼り合わされており、対向面相互の貼り合わせにて台紙本体２の強度を高めるようにしている。
【００２５】
（他の例）
上記実施の例においては、支持脚８を対にして台紙本体２の縦方向の中心線（後面板の縦方向の中心線）を間にして対称にして配置されている例を示したが、本発明はこの実施の例に限定されるものではない。
【００２６】
その他の例として上記後面板６に一つの支持脚８を斜めして設けることも可能である。図３は支持脚８が折り起こしされる前の状態とされた台紙本体２を後面板６側から見た状態として示されている。図示されているように支持脚８の折り部９の位置を上記貼着手段７に対応する部分に斜めに交差させて、支持脚８の長手方向が、貼着手段７の位置に対して斜めの配置とすることも可能である。
【００２７】
上記例にあっても支持脚８は台紙本体２の後方に折り出されて台紙本体２を後倒姿勢で立つように支持することができる。さらに折り出されている支持脚８が貼着手段７の位置に対して斜めの配置であるので、支持脚８の折り元である折り部９が直線状となって支持脚８自体が補強リブの役割をも果たし、シュリンクフィルム筒体の熱収縮に伴なった台紙本体２の撓み変形を抑える上で効果がある。
【００２８】
なお、図において符号１０はハンガーディスプレーの展示形態に対応するためのフック孔である。
【符号の説明】
【００２９】
１…シュリンクフィルム付き台紙
２…台紙本体
３…シュリンクフィルム筒体
４…前面板
５…連結部
６…後面板
７…貼着手段
８…支持脚
９…折り部
【図１】
2017171324.tif 000003
【図２】
2017171324.tif 000004
【図３】
2017171324.tif 000005